(57)【要約】【課題】優れた意匠性を備える透光性の表札を提供すること。【解決手段】透光性材料からなる表札であって、正面に配置され、表記が施された表記部と、正面に配置され、装飾が施された装飾部と、背面に配置され、前記表札を固定具により被取付部に取り付けるための取付部と、を有し、前記表札の正面視において、前記固定具が前記装飾部によって遮蔽される表札である。【選択図】図１
2019191401.tif 000002
【特許請求の範囲】
【請求項１】
透光性材料からなる表札であって、
正面に配置され、表記が施された表記部と、
正面に配置され、装飾が施された装飾部と、
背面に配置され、前記表札を固定具により被取付部に取り付けるための取付部と、を有し、
前記表札の正面視において、前記固定具が前記装飾部によって遮蔽される、表札。
【請求項２】
前記装飾部は、帯状に形成される、請求項１に記載の表札。
【請求項３】
前記装飾部は、前記表札の両側面に配置され、
前記表札の側面視において、前記固定具が前記装飾部によって遮蔽される、請求項１または２に記載の表札。
【請求項４】
前記装飾部は、前記表札の底面に配置され、
前記表札の底面視において、前記固定具が前記装飾部によって遮蔽される、請求項１〜３いずれかに記載の表札。
【請求項５】
前記装飾部は、前記表札の背面に配置される、請求項１〜４のいずれかに記載の表札。
【請求項６】
前記表札の少なくとも一部にシボ加工が施された、請求項１〜５のいずれかに記載の表札。
【発明の詳細な説明】
【技術分野】
【０００１】
本発明は、表札に関する。
【背景技術】
【０００２】
従来、入居者の姓名や名称などを表記した表札は、一般に、玄関脇や門柱の外壁など建物の比較的に目立つ場所に取り付けられる。表札に用いる材料としては、石材、木材のほか、種々の有機材料及び無機材料等が挙げられるが、最近では意匠性の向上を目的として、透光性基材を用いた表札が使用されている。
【０００３】
また上記の透光性基材を用いた表札においては、例えば夜間において周囲に備えた照明器具からの発光を受けると、表札内部を明るい光が透過できることで、表面に記された入居者の姓名や名称などの表示が強調され、視認性が向上する。
【０００４】
表札の取り付けにおいては通常、取り付けの容易性などからネジ等の固定具を用いて取り付けがなされる。非透光性の表札においては通常表記側の外観を損ねないよう、表札の裏側に固定具を配置し、固定具が表記側から視認できないようにする（例えば、特許文献１参照）。
【０００５】
しかしながら透光性の表札においては、表札の被取付面側に固定具を配置しても固定具が表記側から視認できてしまうため、固定具の露出を許容するか、固定具そのものに意匠性を持たせる工夫が必要であった（例えば、特許文献２参照）。
【先行技術文献】
【特許文献】
【０００６】
【特許文献１】特許第５７８８５５２号公報
【特許文献２】特開２０１０−２２４０７３号公報
【発明の概要】
【発明が解決しようとする課題】
【０００７】
本発明は上記に鑑みてなされたものであり、透光性表札の正面視において、前記固定具が前記装飾部によって遮蔽されることで、優れた意匠性および視認性を備える表札を提供することを目的とする。
【０００８】
（１）透光性材料（例えば、後述の透光性基材１）からなる表札（例えば、後述の表札１０）であって、正面に配置され、表記が施された表記部（例えば、後述の表記部２）と、正面に配置され、装飾が施された装飾部（例えば、後述の装飾部２０）と、背面に配置され、前記表札を固定具（例えば、後述の固定具３）により被取付部（例えば、後述の被取付部５）に取り付けるための取付部（例えば、後述の取付部４）と、を有し、前記表札の正面視において、前記固定具が前記装飾部によって遮蔽される表札を提供する。
【０００９】
（２）  （１）の発明において、前記装飾部は、帯状に形成されていてもよい。
【００１０】
（３）  （１）または（２）の発明において、前記装飾部は、前記表札の両側面に配置され、前記表札の側面視において、前記固定具が前記装飾部によって遮蔽されていてもよい。
【００１１】
（４）  （１）〜（３）のいずれかの発明において、前記装飾部は、前記表札の底面に配置され、前記表札の底面視において、前記固定具が前記装飾部によって遮蔽されていてもよい。
【００１２】
（５）  （１）〜（４）のいずれかの発明において、前記装飾部は、前記表札の前記背面にも形成されていてもよい。
【００１３】
（６）  （１）〜（５）のいずれかの発明において、前記表札の少なくとも一部にシボ加工が施されていてもよい。
【発明の効果】
【００１４】
本発明によれば、透光性の表札において、優れた意匠性と表記の視認性を両立する表札を提供できる。
【図面の簡単な説明】
【００１５】
【図１】本発明の実施形態に係る表札を示す斜視図である。
【図２】本発明の実施形態に係る表札を示す正面図である。
【図３】本発明の実施形態に係る表札を示す背面図である。
【図４】本発明の実施形態に係る表札を示す側面図である。
【発明を実施するための形態】
【００１６】
以下、本発明の実施形態について説明するが、本発明はこれに限定されるものではなく、これを改良・変形したものも含まれる。
【００１７】
図１は、本発明の実施形態に係る表札を示す斜視図である。図２は、本発明の実施形態に係る表札を示す正面図である。
表札１０は透光性基材１から構成される、板状の表札である。直方体形状である表札１０は、図１および２に示すように、正面（表記面１１）側に入居者の姓名や名称などの表記がなされる表記部２および装飾部２０を備え、読み手から表記部２に記載の情報を視認されるようにするとともに、背面（取付面１２）側は玄関脇や門柱の外壁などの取付対象の被取付面５に向くように取り付けられる。
【００１８】
図３は、本実施形態に係る表札を示す背面図である。図４は、本実施形態に係る表札を示す側面図である。
図３に示すように、表札１０は取付面１２における任意の箇所に形成される取付部４を有する。図４に示すように、固定具３は表札１０の取付面１２側に配置され、取付部４を介して表札１０を被取付面５に固定することができる。固定具３は、その一部が表札１０内部へ侵入することはあっても、表記面１１側へは露出しない。
【００１９】
表札１０の表記面１１には、少なくとも表札１９の正面視において、固定具３が遮蔽される範囲に、装飾部２０が備えられる。装飾部２０は透光性基材１上に加工を施すことで形成される。
【００２０】
透光性基材１としては特に限定されないが、アクリル板などの樹脂材や、板ガラスの他に、フュージングガラス等で構成することができる。フュージングガラスとは、透明ガラスの上に色つきガラスを重ね、電気炉内で熱融着させたものである。
【００２１】
表記部２には、通常入居者の姓名や名称などが記載されるが、意匠性や利便性の観点から、例えば絵や文字列等、任意の記載が可能である。
【００２２】
固定具３としては形状、材質ともに特に限定されるものではないが、例えば金属、セラミックスおよびその他の材料からなるネジ等であれば、種々の材質および形状の被取付面５に簡易に取り付けられ、接着剤による固定と比較して耐久性にも優れる。なお、本発明の表札１０の固定具３は接着剤であってもよいが、固定具３の非視認性を高めるという目的を鑑み、本発明は表札１０を一見した際に視認性の高い固定具である、ネジ等の固定具３を用いる表札１０に適用されることがより好ましい。
【００２３】
取付部４は、表札１０の形状や材料等に応じて、取付面１２側の任意の箇所に設定できる。表札１０全体としての意匠性の観点からは狭い範囲に設定することが好ましく、取付の安定性を損なわない範囲で設定され、例えば表札１０の下部に設けられる。
【００２４】
装飾部２０は少なくとも、装飾部２０が形成されていない表札１０の表記面１１において、表札の正面視１０において、固定具３が装飾部２０によって遮蔽される範囲上に形成される。これにより、表札１０の正面視において、固定具３が視認されにくくなり、表札１０の意匠性が向上する。
【００２５】
ここで、上記の「遮蔽される」とは、観察者と固定具３の間に装飾部２０が介在することによって、観察者からの固定具３の視認性が低下することを指す。この遮蔽効果をもって表札１０の意匠性が向上するものであれば、必ずしも固定具３が完全に視認されなくともよい。
【００２６】
なお、上記の固定具３が装飾部２０によって遮蔽される範囲とは、必ずしも固定具３の像が表記面１１に垂直に投影される範囲のみを指すものではなく、通常の使用状況下において表札１０を表記面１１側から見る角度範囲も考慮して設定される。即ち通常装飾部２０は、固定具３の像が表記面１１に垂直に投影される範囲よりも上下左右に広く形成される。
【００２７】
さらに装飾部２０は、上記以外の箇所にも形成されてもよい。これにより、例えば上記の固定具３が透けて視認される箇所を含めて帯状等の形状に形成することで、装飾による意匠の幅が広がり、さらに意匠性が向上する。
【００２８】
また、装飾部２０は、表札１０の側面および底面にも形成されていてもよい。これにより、表札１０の側面視または底面視において、表札１０内部に侵入した固定具３の一部は遮蔽され、より意匠性が向上する。さらに、特に夜間において、被取付面３上部に照明が備えられていれば、表札１０に上部から入射する光を、表札１０の表記面、側面および底面に形成された装飾部２０により内部で反射させることで、表札１０を明るく見せ、表記部２の視認性を向上させることができる。
【００２９】
また、装飾部２０は、表札１０の取付面１２側にも形成されていてもよい。これにより、上記の表札内部での光の反射による視認性の向上効果が増幅される。この装飾は、表札１０上に施されてもよいし、被取付面に施されていてもよい。
【００３０】
装飾部２０における装飾加工法としては特に限定されず、塗装、印刷、転写やフィルムの貼り付け等の方法あるいはこれらを組み合わせて装飾することができる。また装飾は例えば複数層に重ねて行ってもよく、希望する意匠デザインに合わせて任意の手法が選択される。
【００３１】
さらに上記の装飾部２０は、本発明の効果を損なわない範囲であれば、透光性を有していてもよい。これにより、透光性の表札１０において、全体として統一感のある洗練されたデザインが実現され、意匠性が向上する。
【００３２】
また、表札１０は、少なくとも一部にシボ加工がなされていてもよい。これにより、表札１０内部に入射した光が、シボ加工により形成された表面の凹凸部で乱反射し、表札１０をより明るく見せることができるため、表記部２の視認性がさらに向上する。
【００３３】
また上記の装飾部２０が透光性を有する場合において、装飾部２０の下地にシボ加工がなされていることで表札１０の透明性が低下するため、取付面１２側に配置され、または表札内部に侵入した固定具３はより視認しにくくなり、装飾部２０に適用できる装飾加工の幅が拡張される。
【００３４】
なお、ここまでは一般的に用いられる直方体形状の表札について説明したが、本発明の表札１０は例えば丸みを帯びた形状等、他の形状のものであってもよく、表記部２が形成される側を正面側として、上述の正面、背面、側面および底面に対応する箇所に装飾部２０を形成することで同様の効果が発揮される。
【００３５】
以下、本発明の一実施形態に係る表札１０の効果について、詳細に説明する。
【００３６】
本発明の一実施形態に係る表札１０は透光性基材１によって構成される板状の表札であり、表記面１１に表記部２および装飾部２０を備えるとともに、取付面１２の下部にある２箇所の取付部４を介してネジ状の固定具３により門柱の被取付面５に取り付けられる。装飾部２０は、表記面２下部に帯状に形成されているほか、側面下部、底面全面、および取付面１２全面に形成されている。さらに装飾部２０は、固定具３が透けて見えない程度に透光性を有している。また、表札１０はその全面にシボ加工が施されている。
【００３７】
表札１０は透光性を有しているが、訪問者が表記面１１側より見た際に、固定具３は表記面１１に形成される装飾部２０に遮蔽される。これにより、透光性の表札１０は意匠性を損なうことなく、高い美観を備えることが可能である。
【００３８】
また装飾部２０は、表札１０の正面視において固定具３を遮蔽する範囲だけでなく、表記面２下部に帯状に形成されている。これにより、装飾による意匠の幅が広がり、さらに意匠性が向上する。
【００３９】
また装飾部２０は、同様に両側面下部にも形成されており、表札１０の側面視において固定具３は装飾部２０により遮蔽される。これにより、さらに意匠性が向上する。
【００４０】
また装飾部２０は、同様に底面にも形成されており、表札１０の底面視において固定具３は装飾部２０により遮蔽される。これにより、さらに意匠性が向上する。
【００４１】
また、門柱の被取付面５の上部には図示しない照明が備えられており、例えば夜間等に表札１０を上部より照らすことで、表札１０の視認性を向上させている。透光性を有する表札１０は、その上面より内部に照明からの光を透過させることができる。ここで、表札１０の上面以外の各面には装飾部２０が形成されており、上面から入射した光は表札内部で反射するため、表札１０をさらに明るく見せることができる。これにより、表札１０における表記部２が強調され、表記部２の視認性が向上する。さらに、装飾部２０がわずかに透光性を備えることにより、上述の効果を発揮しつつ、表札１０全体として統一感のある洗練されたデザインが実現され、意匠性が向上する。
【００４２】
加えて、表札１０の表面にはシボ加工が施されており、前述の光はこの微細な凹凸においても乱反射するため、前述の表札１０を明るく見せる効果が増幅される。これにより、表記部２の視認性がさらに向上する。
【符号の説明】
【００４３】
１  …透光性基材
２  …表記部
３  …固定具
４  …取付部
５  …被取付面
１０…表札
１１…表記面
１２…取付面
２０…装飾部
【図１】
2019191401.tif 000003
【図２】
2019191401.tif 000004
【図３】
2019191401.tif 000005
【図４】
2019191401.tif 000006